(57)【要約】      （修正有）【課題】使用済みウエスを捨てるためのゴミ箱に、水切りの機能と、溜まった雨水その他の液体を回収する容器を設ける。【解決手段】セパレーターを内蔵する台車３上部にゴミ容器１を搭載する形態を成すゴミ収容の為の容器であって、その台車３とゴミ容器１を簡単に着脱する事が出来ると共に、ゴミ容器１の底部にメッシュ構造を有するメッシュ蓋が取り付けられたことを特徴とする。【選択図】図１
0003145163.tif 000002
【実用新案登録請求の範囲】
【請求項１】
使用済みウエスを収容する容器とこれを搭載するセパレーター機能を有する台車との組合せの器具であって、使用済みウエスを収容する容器の底蓋がメッシュ構造をなして開閉をする機能を持つことを特徴とするゴミ箱。
【考案の詳細な説明】
【技術分野】
【０００１】  本考案は、家庭や事業所から出る廃棄物の一時的な収納に使用されているゴミ箱やゴミ箱の代用品その他の容器に関する。
【背景技術】
【０００２】  従来、油脂類や液体の化学薬品を取り扱う事業所から出る使用済みウエスからなる廃棄物を一時的に収容するゴミ箱やゴミ箱の代用品は、様々な形状の物が製造され販売されている。しかしながら、それらは、構造的に単に物体を収納するだけのものである。【０００３】  油脂類や液体の化学薬品を取り扱う事業所から出る使用済みウエスを一時的に収容するゴミ箱やゴミ箱の代用品の機能は、一般家庭のゴミ箱の如く、廃棄物を最終処分場に送付する前に一時的に溜めて置くことである。特に期待されているのが、屋外に設置したがために雨水などの水が容器内に浸人することによって人手が水切りをして環境汚染物質の垂れ流しを引き起こすことがないように内容物をゴミ袋に収納させることが可能な防水機能であるが、これは廃棄物の一時収容が大雨の無い時期に行われた場合にのみ有効に働く機能であり、ゴミ箱やその代用品が積極的に防水や容器内での水切りを行う機能を有する訳ではない。【０００４】  なお、本考案に関連する公知技術として次の特許文献１を挙げることができる。【０００５】
【特許文献１】  特許公開２００６−９６５３８
【考案の開示】
【考案が解決しようとする課題】
【０００６】  上記の如く、従来技術に係る使用済みウエスを一時的に収容するゴミ箱やゴミ箱の代用品は、屋外に設置した場合で大雨にさらされなかった時にのみ有効に働く機能であり、そのゴミ箱やその代用品が積極的に雨水を妨げたり溜まった水を水切りすることができる機能を有する訳ではないので、このゴミ箱やその代用品を油脂類や液体化学物質を取り扱う事業所の屋外に設置したとしても、それだけでは充分な廃棄物処理の媒体とはならず、ゴミ箱やその代用品の近辺や内容物の廃棄物である使用済みウエスそのものを著しく濡らすことなく使用済みウエスを廃棄処分することは難しい。【０００７】  このため、油脂類や液体の化学薬品を取り扱う事業所では、その取り扱った液体を拭ったウエスを一時的に収容する時に、大き目のポリ容器やペール缶をゴミ箱として使用し、悪臭の為そのゴミ箱を屋外に設置している場合が多く、この為、使用済みウエスを収容したゴミ箱が風雨にさらされ、使用済みウエスを廃棄処分にする頃には内容物が水浸しになり、使用済みウエスを廃棄処分にする作業員が雨水にまみれたままで焼却しにくい使用済みウエスを最終処分場に運搬するか或いはゴミ箱内に溜まった水を地面に向かって抜くなどの環境汚染物質の垂れ流し行為に当たる水切りをしてから使用済みウエスを最終処分場に運搬するのが現状である。【０００８】  本考案は、このような点を考慮し成された物であり、その目的は、使用済みウエスを収容するゴミ箱に、水切りの機能と、溜まった雨水やその他の液体を受ける容器を設けることにより、使用済みウエスを雨水に浸かっていない状態で処分できるようにすることにある。
【課題を解決するための手段】
【０００９】  上記の目的を達成する本考案の使用済みウエス専用ゴミ箱は、セパレーター機能を有する台車上部にゴミ容器を搭載する形態を成すゴミ収容の為の容器であって、その台車とゴミ容器を簡単に着脱する事が出来ると共に、ゴミ容器の底部にメッシュ構造を有する蓋が取り付けられたことを特徴とする。
【考案の効果】
【００１０】  以上説明したように、本考案によれば、底にメッシュ構造をした蓋が付いたゴミ収容の為の容器を、セパレーター機能を有する台車に搭載したものに使用済みウエスを収容することができるようにしたので、使用済みウエスをゴミ箱に収容中に水切りを行い且つ容易に内容物をゴミ袋に詰め替えることが可能となる。この使用済みウエス専用ゴミ箱を例えば重油を運搬するタンクローリーを扱う事業所の敷地内で屋外に設置することで、重油を拭ったウエスを、風雨にさらしながらも重油を自然界に漏洩させることなく一時的に収容することが可能となり、環境汚染物質の垂れ流し防止、産業廃棄物の容易な荷造り等に極めて有効である。
【考案を実施するための最良の形態】
【００１１】  以下、本考案の実施の形態を図面に基づき詳細に説明する。【００１２】  図１から図５は、本考案の実施の形態に係り、図１はその真横からの外観図、図２はそのゴミ容器の外観斜視図、図３はその台車の断面図、図４はそのロックの外観斜視図、図５はそのゴミ容器の内容物をゴミ袋に詰め替える様子の断面図である。【００１３】  図１で示すように、本考案は、セパレーター機能を有する台車３の上部に、水きり機能を有するゴミ容器１を搭載したものである。【００１４】  ゴミ容器１には、図２で示すように、人が手で持ち上げられるように取っ手６が付けられ、その底部には内容物の使用済みウエスが風雨にさらされた時に水切りをする為のメッシュ蓋１０が設置され、そのメッシュ蓋１０を開放したりまた閉じたときに固定する為のロック８が取り付けられ、上部には著しく雨水が入り込まないための屋根２が装備されている。【００１５】  ゴミ容器１内部は、図５で示すように、単純なゴミ収容の為のスペースとなっている。【００１６】  台車３は、図１で示すように、本考案全体の装置が移動しやすいように車輪４と取っ手１２が付いていて、また、一箇所で固定できるようにその本体下部にストッパー１３が装備されている。【００１７】  台車３は、図３で示すように、内部がセパレーター１１になっていて、上部から浸入する雨水や使用済みウエス２０から離別した液体廃棄物を一時収容し、蛇口５や排水口１４からそれらを排出することができるようになっている。【００１８】  ロック８は、図４及び図５で示すように、ゴミ容器１下部のメッシュ蓋１０を開放する際にグリップ１５を四分の一回転させることによりメッシュ蓋１０の固定を解除させたり、それらの逆の操作をすることによりメッシュ蓋１０をゴミ容器１に固定させるために使用できるよう、棒状になっている。【００１９】  ボルト７は、図１で示すように、台車３底部に設けられ、セパレーター１１内底部の残液を抜き取る際にこれを取り外して排水口を設けられるようになっている。【００２０】  ゴミ容器１は、図５で示すように、ゴミ袋１８の内径よりも小さなサイズになっている。【００２１】  ゴミ容器１と屋根２をつなぐ支柱１６は、図２で示すように、人出１９が取っ手６を持ってゴミ容器１を持ち上げた際に加重によって簡単に曲がってしまわないよう補強が入っている。【００２２】  蛇口５は、図１及び図３で示すように、必ずセパレーター１１の隔壁でわかれたセクション毎に各一基設置され、夫々のセクションに溜まった廃液を抜き出せるようになっている。【００２３】  キャップ１７は、図１及び図３で示すように排水口１４に取り付けられ、セパレーター１１に溜まった廃液のうち、水より比重の軽い液体が雨水と共に溜まった場合には水を排出する排水口１４の口を確保するために外しておき、水より比重の重い廃液が雨水と共にセパレーター１１に溜まったときは排水口１４が環境汚染物質の垂れ流し口とならぬように排水口１４を遮断する蓋として使用できるものになっている。【００２４】  本考案を形成する部品は、車輪４とグリップ１５以外全て、ステンレスなど耐腐食性が有りかつ静電気が発生しにくい素材で構成する。
【産業上の利用可能性】
【００２５】  本考案は、油脂類や液体の化学薬品を取り扱う事業所で使用する清掃用具を製造、販売する産業分野で利用する事ができる。
【図面の簡単な説明】
【００２６】
【図１】  本考案の実施の形態に係る使用済みウエス専用ゴミ箱の真横からの外観図である。
【図２】  図１の上部構造物であるゴミ容器の外観斜視図である。
【図３】  図１の下部構造物である台車の断面図である。
【図４】  図１のゴミ容器に設置されるロックの外観斜視図である。
【図５】  図１のゴミ容器の内容物である使用済みウエス２０をゴミ袋１８に詰め替える作業に於ける、ゴミ容器及びその周辺部品の断面図である。
【符号の説明】
【００２７】１          ゴミ容器
２          屋根
３          台車
４          車輪
５          蛇口
６、１２    取っ手
７          ボルト
８          ロック
９          ちょうつがい
１０        メッシュ蓋
１１        セパレーター
１３        ストッパー
１４        排水口
１５        グリップ
１６        支柱
１７        キャップ
１８        ゴミ袋
１９        人手
２０        使用済みウエス
【図１】
0003145163.tif 000003
【図２】
0003145163.tif 000004
【図３】
0003145163.tif 000005
【図４】
0003145163.tif 000006
【図５】
0003145163.tif 000007